(57)【特許請求の範囲】
【請求項１】
液体を吐出する複数のノズル、各ノズルに個別に連通する液体流路、および液体流路内の液体に圧力振動を生じさせるアクチュエーターを有し、前記アクチュエーターの駆動により対応するノズルから液体を吐出する液体吐出ヘッドと、
前記液体を濾過するフィルターと、
前記アクチュエーターの駆動によって生じる前記液体流路内の液体の振動を検出する振動検出機構と、
前記振動検出機構による検出値を取得して演算する演算回路と、
を備え、
前記振動検出機構は、前記液体吐出ヘッドが備えるｍ個のノズルのうち、ｎ個（但し、１＜ｎ≦ｍ）のノズルについて振動の検出を行い、
前記演算回路は、前記振動検出機構による検出値についての演算結果と予め定められた閾値との比較により、前記フィルターの状態を判定し、前記演算結果が前記閾値を超えた場合に、前記アクチュエーターを駆動する駆動パルスの補正を行うことを特徴とする液体吐出装置。
【請求項２】
前記演算回路は、前記演算結果が第１の閾値を超え、当該第１の閾値よりも大きい第２の閾値以下である場合に、前記駆動パルスの補正を行うことを特徴とする請求項１に記載の液体吐出装置。
【請求項３】
前記演算回路は、前記演算結果が第２の閾値を超えた場合に、前記フィルターがメンテナンスを要する状態になっていると判定することを特徴とする請求項２に記載の液体吐出装置。
【請求項４】
前記演算回路は、検査対象のｎ個のノズルのうちの一部のノズルの前記検出値が、残りのノズルの検出値よりも大きい場合、該当するノズルにおいてフィルターの異常以外の要因による吐出不良が生じていると判定することを特徴とする請求項１から請求項３の何れか一項に記載の液体吐出装置。
【請求項５】
液体を吐出する複数のノズル、各ノズルに個別に連通する液体流路、および液体流路内の液体に圧力振動を生じさせるアクチュエーターを有し、前記アクチュエーターの駆動により対応するノズルから液体を吐出する液体吐出ヘッドと、前記液体を濾過するフィルターと、前記アクチュエーターの駆動によって生じる前記液体流路内の液体の振動を検出する振動検出機構と、前記振動検出機構による検出値を取得して演算する演算回路と、を備えた液体吐出装置の制御方法であって、
前記振動検出機構により前記液体吐出ヘッドが備えるｍ個のノズルのうち、ｎ個（但し、１＜ｎ≦ｍ）のノズルについて振動の検出が行われる振動検出工程と、
前記振動検出機構による検出値についての演算結果と予め定められた閾値との比較により、前記フィルターの状態が判定される判定工程と、
前記演算結果が前記閾値を超えた場合に、前記アクチュエーターを駆動する駆動パルスの補正を行う補正工程と、
を含むことを特徴とする液体吐出装置の制御方法。
【発明の詳細な説明】
【技術分野】
【０００１】
本発明は、インクジェット式記録装置などの液体吐出装置、および、液体吐出装置の制御方法に関し、特に、液体吐出ヘッドのノズルから吐出させる液体を濾過するフィルターを備える液体吐出装置、および、液体吐出装置の制御方法に関するものである。
【背景技術】
【０００２】
液体吐出装置は液体吐出ヘッドを備え、この液体吐出ヘッドから各種の液体を吐出（噴射）する装置である。この液体吐出装置としては、例えば、インクジェット式プリンターやインクジェット式プロッター等の画像記録装置があるが、最近ではごく少量の液体を所定位置に正確に着弾させることができるという特長を活かして各種の製造装置にも応用されている。例えば、液晶ディスプレイ等のカラーフィルタを製造するディスプレイ製造装置，有機ＥＬ（Electro Luminescence）ディスプレイやＦＥＤ（面発光ディスプレイ）等の電極を形成する電極形成装置，バイオチップ（生物化学素子）を製造するチップ製造装置に応用されている。そして、画像記録装置用の記録ヘッドでは液状のインクを吐出し、ディスプレイ製造装置用の色材吐出ヘッドではＲ（Red）・Ｇ（Green）・Ｂ（Blue）の各色材の溶液を吐出する。また、電極形成装置用の電極材吐出ヘッドでは液状の電極材料を吐出し、チップ製造装置用の生体有機物吐出ヘッドでは生体有機物の溶液を吐出する。
【０００３】
ここで、上記液体吐出装置において、液体を貯留した液体貯留部材から液体吐出ヘッドのノズルに至るまでの流路の途中に、液体を濾過するフィルターが設けられているのが一般的である。このフィルターによって液体中の気泡等の異物が濾別され、これにより、液体吐出ヘッドの流路が異物等により塞がれて液体の吐出に支障が生じることが抑制される。しかしながら、このフィルターが異物の堆積等により目詰まりした場合、ノズル側に液体が円滑に供給されず、ノズルにおける吐出に悪影響を及ぼす虞があった。このため、フィルターの目詰まりを検出する構成が種々提案されている（例えば、特許文献１〜３参照）。特許文献１に開示されている構成では、液体の供給経路におけるフィルターの上流側と下流側にそれぞれ圧力センサーの圧力差に基づいてフィルターの目詰まりを検出する。また、特許文献２に開示されている構成では、液体の循環系路におけるポンプの駆動状態に基づいてフィルターの目詰まりを検出する。そして、特許文献３には、フィルターが配置された流路に、当該フィルターをバイパスする流路が設けられ、フィルターが目詰まりすることでバイパス流路に液体が流れたことが検出されることで、フィルターの目詰まりが検出される構成が開示されている。
【先行技術文献】
【特許文献】
【０００４】
【特許文献１】特開平０５−１１６３３７号公報
【特許文献２】特開２０１１−１６７８７３号公報
【特許文献３】特開２００６−０７６１３６号公報
【発明の概要】
【発明が解決しようとする課題】
【０００５】
しかしながら、これらの従来の構成では、フィルターの目詰まりを検出するために、専用の部品を別途要したり、特殊な構造を採用したりする必要があった。
【０００６】
本発明は、このような事情に鑑みてなされたものであり、その目的は、専用の部品や構造等を要することなくフィルターの状態を判定することが可能な液体吐出装置、および、液体吐出装置の制御方法を提供することにある。
【課題を解決するための手段】
【０００７】
〔手段１〕
本発明は、上記目的を達成するために提案されたものであり、液体を吐出する複数のノズル、各ノズルに個別に連通する液体流路、および液体流路内の液体に圧力振動を生じさせるアクチュエーターを有し、前記アクチュエーターの駆動により対応するノズルから液体を吐出する液体吐出ヘッドと、
前記液体を濾過するフィルターと、
前記アクチュエーターの駆動によって生じる前記液体流路内の液体の振動を検出する振動検出機構と、
前記振動検出機構による検出値を取得して演算する演算回路と、
を備え、
前記振動検出機構は、前記液体吐出ヘッドが備えるｍ個のノズルのうち、ｎ個（但し、１＜ｎ≦ｍ）のノズルについて振動の検出を行い、
前記演算回路は、前記振動検出機構による検出値についての演算結果に基づき、前記フィルターの状態を判定することを特徴とする。
【０００８】
手段１の構成によれば、フィルターの状態を判定するための専用の部品や構造等を別途要することなく、振動検出機構による検出値を利用してフィルターの状態（目詰まりの度合）を判定することができる。
【０００９】
〔手段２〕
上記手段１の構成において、前記演算回路は、前記演算結果と予め定められた閾値との比較により前記フィルターの状態を判定する構成を採用することが望ましい。
【００１０】
手段２の構成によれば、演算結果と予め定められた閾値との比較によりフィルターの状態を判定するので、迅速にフィルターの状態を判定することができる。
【００１１】
〔手段３〕
上記手段２の構成において、前記演算回路は、前記演算結果が前記閾値を超えた場合に、前記アクチュエーターを駆動する駆動パルスの補正を行う構成を採用することが望ましい。
【００１２】
上記手段３の構成によれば、演算結果が閾値を超えた場合に、駆動パルスが補正されるので、フィルターの目詰まりによるインクの吐出特性に影響が生じている場合であってもノズルから吐出される液滴の量や飛翔速度を、設計上目標とする値に近づけることが可能となる。
【００１３】
〔手段４〕
上記手段３の構成において、前記制御回路は、前記演算結果が第１の閾値を超え、当該第１の閾値よりも大きい第２の閾値以下である場合に、前記駆動パルスの補正を行う。
【００１４】
手段４の方法によれば、演算結果が第１の閾値を超えて第２の閾値以下である場合に駆動パルスが補正されることで、フィルターが交換を要するほどの状態に至るまでは、吐出特性への影響を抑制しつつフィルターを交換等することなく継続して使用することができる。
【００１５】
〔手段５〕
上記手段４の構成において、前記制御回路は、前記演算結果が第２の閾値を超えた場合に、前記フィルターがメンテナンスを要する状態になっていると判定する構成を採用することが望ましい。
【００１６】
手段５の構成によれば、演算結果が第２の閾値を超えた場合に、フィルターがメンテナンスを要するほどの状態になっていると判定されることで、フィルターの交換あるいは洗浄等のメンテナンスをユーザーに促す等の適切な対処が可能となる。
【００１７】
〔手段６〕
上記手段１から手段５の何れか一の構成において、前記制御回路は、検査対象のｎ個のノズルのうちの一部のノズルの前記検出値が、残りのノズルの検出値よりも大きい場合、該当するノズルにおいてフィルターの異常以外の要因による吐出不良が生じていると判定する構成を採用することが望ましい。
【００１８】
手段６の方法によれば、フィルターの目詰まり以外の要因により吐出不良が生じている場合であっても、これに応じて該当ノズルに対して所謂フラッシング処理等の回復処理を実行する等、適切な処理を行うことができる。
【００１９】
〔手段７〕
そして、本発明は、液体を吐出する複数のノズル、各ノズルに個別に連通する液体流路、および液体流路内の液体に圧力振動を生じさせるアクチュエーターを有し、前記アクチュエーターの駆動により対応するノズルから液体を吐出する液体吐出ヘッドと、前記液体を濾過するフィルターと、前記アクチュエーターの駆動によって生じる前記液体流路内の液体の振動を検出する振動検出機構と、前記振動検出機構による検出値を取得して演算する演算回路と、を備えた液体吐出装置の制御方法であって、
前記振動検出機構により前記液体吐出ヘッドが備えるｍ個のノズルのうち、ｎ個（但し、１＜ｎ≦ｍ）のノズルについて振動の検出が行われる振動検出工程と、
前記振動検出機構による検出値についての演算結果に基づき、前記フィルターの状態が判定される判定工程と、
を含むことを特徴とする。
また、上記目的を達成するために提案される本発明の液体吐出装置は、以下の構成を備えたものであってもよい。
すなわち、液体を吐出する複数のノズル、各ノズルに個別に連通する液体流路、および液体流路内の液体に圧力振動を生じさせるアクチュエーターを有し、前記アクチュエーターの駆動により対応するノズルから液体を吐出する液体吐出ヘッドと、
前記液体を濾過するフィルターと、
前記アクチュエーターの駆動によって生じる前記液体流路内の液体の振動を検出する振動検出機構と、
前記振動検出機構による検出値を取得して演算する演算回路と、
を備え、
前記振動検出機構は、前記液体吐出ヘッドが備えるｍ個のノズルのうち、ｎ個（但し、１＜ｎ≦ｍ）のノズルについて振動の検出を行い、
前記演算回路は、前記振動検出機構による検出値についての演算結果と予め定められた閾値との比較により、前記フィルターの状態を判定し、前記演算結果が前記閾値を超えた場合に、前記アクチュエーターを駆動する駆動パルスの補正を行うことを特徴とする（手段１）。
手段１の構成によれば、フィルターの状態を判定するための専用の部品や構造等を別途要することなく、振動検出機構による検出値を利用してフィルターの状態（目詰まりの度合）を判定することができる。
また、演算結果と予め定められた閾値との比較によりフィルターの状態を判定するので、迅速にフィルターの状態を判定することができる。
さらに、演算結果が閾値を超えた場合に、駆動パルスが補正されるので、フィルターの目詰まりによるインクの吐出特性に影響が生じている場合であってもノズルから吐出される液滴の量や飛翔速度を、設計上目標とする値に近づけることが可能となる。
上記手段１の構成において、前記演算回路は、前記演算結果が第１の閾値を超え、当該第１の閾値よりも大きい第２の閾値以下である場合に、前記駆動パルスの補正を行う構成を採用することが望ましい（手段２）。
手段２の構成によれば、演算結果が第１の閾値を超えて第２の閾値以下である場合に駆動パルスが補正されることで、フィルターが交換を要するほどの状態に至るまでは、吐出特性への影響を抑制しつつフィルターを交換等することなく継続して使用することができる。
上記手段２の構成において、前記制御回路は、前記演算結果が第２の閾値を超えた場合に、前記フィルターがメンテナンスを要する状態になっていると判定する構成を採用することが望ましい（手段３）。
手段３の構成によれば、演算結果が第２の閾値を超えた場合に、フィルターがメンテナンスを要するほどの状態になっていると判定されることで、フィルターの交換あるいは洗浄等のメンテナンスをユーザーに促す等の適切な対処が可能となる。
上記手段１から手段３の何れか一の構成において、前記制御回路は、検査対象のｎ個のノズルのうちの一部のノズルの前記検出値が、残りのノズルの検出値よりも大きい場合、該当するノズルにおいてフィルターの異常以外の要因による吐出不良が生じていると判定する構成を採用することが望ましい（手段４）。
手段４の構成によれば、フィルターの目詰まり以外の要因により吐出不良が生じている場合であっても、これに応じて該当ノズルに対して所謂フラッシング処理等の回復処理を実行する等、適切な処理を行うことができる。
そして、本発明の液体吐出装置の制御方法は、液体を吐出する複数のノズル、各ノズルに個別に連通する液体流路、および液体流路内の液体に圧力振動を生じさせるアクチュエーターを有し、前記アクチュエーターの駆動により対応するノズルから液体を吐出する液体吐出ヘッドと、前記液体を濾過するフィルターと、前記アクチュエーターの駆動によって生じる前記液体流路内の液体の振動を検出する振動検出機構と、前記振動検出機構による検出値を取得して演算する演算回路と、を備えた液体吐出装置の制御方法であって、
前記振動検出機構により前記液体吐出ヘッドが備えるｍ個のノズルのうち、ｎ個（但し、１＜ｎ≦ｍ）のノズルについて振動の検出が行われる振動検出工程と、
前記振動検出機構による検出値についての演算結果と予め定められた閾値との比較により、前記フィルターの状態が判定される判定工程と、
前記演算結果が前記閾値を超えた場合に、前記アクチュエーターを駆動する駆動パルスの補正を行う補正工程と、
を含むことを特徴とする（手段５）。
【図面の簡単な説明】
【００２０】
【図１】プリンターの電気的な構成を説明するブロック図である。
【図２】プリンターの内部構成を説明する斜視図である。
【図３】記録ヘッドの構成を説明する模式的な断面図である。
【図４】駆動パルスの一例を示す波形図である。
【図５】フィルターの状態を判定する処理について説明するフローチャートである。
【図６】駆動パルスの補正について説明する波形図である
【発明を実施するための形態】
【００２１】
以下、本発明を実施するための形態を、添付図面を参照して説明する。なお、以下に述べる実施の形態では、本発明の好適な具体例として種々の限定がされているが、本発明の範囲は、以下の説明において特に本発明を限定する旨の記載がない限り、これらの態様に限られるものではない。
【００２２】
図１は、本発明に係るプリンター１の電気的な構成について説明するブロック図である。本実施形態におけるプリンター１は、ＣＰＵ２（本発明における演算回路に相当）、メモリー３、入出力インターフェース４、駆動信号生成回路５、紙送り機構７、キャリッジ移動機構８、振動検出回路６、表示装置１２、および記録ヘッド９等を有する。振動検出回路６は、駆動パルスＰｄ（図４参照）によって圧電素子１１が駆動されたときの圧力室内のインクに生じる圧力振動（残留振動）に基づく圧電素子１１の逆起電力信号を検出信号としてＣＰＵ２に出力するように構成されている。ＣＰＵ２は、圧電素子１１を振動センサーとして用いて圧力室内のインクの振動を検出する。すなわち、圧電素子１１および振動検出回路６は、本発明における振動検出機構として機能する。なお、振動検出回路６による振動検出工程の詳細については後述する。
【００２３】
入出力インターフェース４は、ホスト装置の一種であるホストコンピューター１側からの記録処理等の要求や印刷に係るデータを受けたり、プリンター１の状態情報をホストコンピューター１側に出力したり、等の各種データの送受信を行う。ＣＰＵ２は、プリンター全体の制御を行うための演算処理装置である。メモリー３は、ＣＰＵ２のプログラムや各種制御に用いられるデータを記憶する素子であり、ＲＯＭ、ＲＡＭ、ＮＶＲＡＭ（不揮発性記憶素子）を含む。ＣＰＵ２は、メモリー３に記憶されているプログラムに従って、各部を制御する。また、本実施形態におけるＣＰＵ２は、ホスト装置側からの印刷データを記録ヘッド９のヘッドコントローラー１０に送信する。駆動信号生成回路５（駆動パルス生成回路）は、駆動信号の波形に関する波形データに基づいて、アナログの信号を生成し、当該信号を増幅して図４に示す駆動パルスＰｄを含む駆動信号を生成する。ヘッドコントローラー１０は、駆動信号生成回路５により生成された駆動信号中の駆動パルスＰｄを各圧電素子１１に対して選択的に印加する制御を行う。表示装置１２は、プリンター１の筐体に組み込まれた液晶表示装置からなり、例えば、印刷に関する各種設定情報や、後述するようにフィルター２２の交換を促す警告等を表示する。
【００２４】
本実施形態におけるプリンター１において、記録ヘッド９は、インクカートリッジ１３を搭載したキャリッジ１４の底面側に取り付けられている。そして、当該キャリッジ１４は、キャリッジ移動機構８によってガイドロッド１５に沿って往復移動可能に構成されている。すなわち、プリンター１は、紙送り機構７によって記録紙等の記録媒体Ｓを順次搬送すると共に、記録ヘッド９を記録媒体Ｓの幅方向（主走査方向）に相対移動させながら当該記録ヘッド９のノズル１７（図３参照）からインクを吐出させて、記録媒体Ｓ上に当該インクを着弾させることにより画像等を記録する。なお、インクカートリッジ１３がプリンターの本体側に配置され、当該インクカートリッジ１３のインクが供給チューブを通じて記録ヘッド９側に送られる構成を採用することもできる。
【００２５】
図３は、記録ヘッド９の模式的な断面図である。本実施形態における記録ヘッド９は、インク導入ユニット１８と、ヘッド本体１９と、を備えている。インク導入ユニット１８の上面には、フィルター２２を介在させた状態でインク導入針２１が取り付けられている。このインク導入針２１は、キャリッジ１４に装着されたインクカートリッジ１３の内部に挿入されるように構成されている。また、このインク導入ユニット１８の内部には、インク導入路２０が形成されている。このインク導入路２０の上流側はフィルター２２を介してインク導入針２１と連通し、同じく下端側はヘッド本体１９の内部に形成されたヘッド流路２５（後述）と連通している。インク導入路２０の上流側の内径は、下流側から上流側に向けて次第に拡大している。この拡径した部分の開口を塞ぐ状態でフィルター２２が取り付けられる。フィルター２２は、インクカートリッジ１３側からヘッド本体１９のノズル１７側に供給されるインクを濾過する部材であり、例えば、金属を網目状に編み込んだものや、薄手の金属板に多数の穴を開けたもの等が用いられる。このフィルター２２によって、インク内の異物や気泡が捕捉される。なお、本実施形態において、インクカートリッジ１３からインク導入針２１、インク導入路２０、ヘッド流路２５を通ってノズル１７に至るまでのインク流路が、本発明における液体流路に相当する。
【００２６】
インク導入針２１は、内部空間を針流路２３とした中空針状の部材であり、例えば、合成樹脂などによって作製されている。このインク導入針２１の先端部分には、針流路２３と連通するインク導入孔２６が開設されている。インク導入針２１がインクカートリッジ１３の内部に挿入されると、当該カートリッジ１３内のインクが、インク導入孔２６を通じて針流路２３内に導入される。針流路２３のインク流下方向における略中央部から下流側（インク導入ユニット１８側）の内径は、上流側（インク導入孔２６側）から下流側に向けて拡大している。この拡径した部分は、フィルター室としても機能する。
【００２７】
ヘッド本体１９は、ヘッド流路２５と、このヘッド流路２５の内のインクに圧力変動を生じさせるアクチュエーターとしての圧電素子１１等を備えている。ヘッド本体１９の底面（記録処理中の記録媒体Ｓと対向する側）には、ノズル１７が開設されている。本実施形態においては、ドット形成密度に対応したピッチで複数のノズル１７が、記録媒体Ｓの搬送方向（図３における垂直方向）に列設されてノズル列が構成されている。ヘッド流路２５は、各ノズル１７とそれぞれ個別に連通する圧力室２８と、各圧力室２８に共通な共通液室２７と、共通液室２７と圧力室２８とを連通する供給口２９と、を有している。共通液室２７には、インク導入針２１から導入されてインク導入路２０を流下してきたインクが導入される。圧力室２８を区画する壁面のうち一部、具体的には、ノズル１７とは反対側の面は可撓面３０となっており、この可撓面３０上に圧電素子１１が形成されている。圧電素子１１は、金属製の下電極と、例えばチタン酸ジルコン酸鉛等からなる圧電体と、金属からなる上電極とを順次積層することで形成された所謂撓み振動型の圧電素子である。駆動信号生成回路５側から図示しない信号配線を通じて圧電素子１１に駆動信号が選択的に印加されると、駆動信号の電位変化に応じて変形し、この変形によって圧力室２８の内部のインクに圧力変動が生じ、このインクの圧力変動が制御されることによりノズル１７からインクが吐出される。
【００２８】
図４は、駆動信号生成回路５により発生される駆動パルスＰｄの一例を説明する波形図であり、補正が行われる前の基本波形を示している。なお、駆動パルスＰｄの補正については後述する。本実施形態における駆動パルスＰｄは、膨張要素ｐ１１と、膨張ホールド要素ｐ１２と、収縮要素ｐ１３と、収縮ホールド要素ｐ１４と、復帰要素ｐ１５と、からなる。膨張要素ｐ１１は、基準電位ＶＢから膨張電位ＶＬまで電位が接地電位ＧＮＤ側に変化する波形要素である。膨張ホールド要素ｐ１２は、膨張要素ｐ１１の終端電位である膨張電位ＶＬを一定時間維持する波形要素である。収縮要素ｐ１３は、膨張電位ＶＬから基準電位ＶＢを超えて収縮電位ＶＨまで電位がプラス側に比較的急峻な勾配で変化する波形要素である。収縮ホールド要素ｐ１４は、収縮電位ＶＨを所定時間維持する波形要素である。復帰要素ｐ１５は、収縮電位ＶＨから基準電位ＶＢまで電位が復帰する波形要素である。
【００２９】
上記のように構成された駆動パルスＰｄが圧電素子１１に印加されると、まず、膨張要素ｐ１１によって圧電素子１１および可撓面３０は、圧力室２８の外側（ノズル１７から離隔する側）に撓み、これに伴って圧力室２８が基準電位ＶＢに対応する基準容積から膨張電位ＶＬに対応する膨張容積まで膨張する。この膨張により、ノズル１７におけるインクのメニスカスが、待機位置（圧力室２８が基準容積に維持されているときのメニスカスの位置）から圧力室２８側にノズル１７の軸方向に沿って引き込まれる。そして、この圧力室２８の膨張状態は、膨張ホールド要素ｐ１２によって一定時間維持される。膨張ホールド要素ｐ１２によるホールドの後、収縮要素ｐ１３により圧電素子１１および可撓面３０が、圧力室２８の内側（ノズル１７に近接する側）に撓む。これに伴い、圧力室２８は膨張容積から収縮電位ＶＨに対応する収縮容積まで急激に収縮される。これにより、圧力室２８内のインクが加圧されて、圧力室２８側に引き込まれていたメニスカスが、当該圧力室２８側とは反対側の吐出側にノズル１７の軸方向に沿って待機位置を越えて押し出される。これにより、ノズル１７からインク滴が吐出される。圧力室２８の収縮状態は、収縮ホールド要素ｐ１４の供給期間に亘って維持され、この間に、インクの吐出によって減少した圧力室２８内のインクの圧力は、その圧力振動によって再び上昇する。この上昇タイミングにあわせて復帰要素ｐ１５が圧電素子１１に印加されるように収縮ホールド要素ｐ１４の時間が調整されている。この復帰要素ｐ１５が印加されることにより、圧電素子１１が基準電位ＶＢに対応する定常位置まで戻る。これに伴い、圧力室２８が定常容積まで膨張復帰し、圧力室２８内のインクの圧力振動（残留振動）が吸収される。
【００３０】
この駆動パルスＰｄ（基本パルス）に関し、ノズル１７から吐出されるインクの量が一定の値、すなわち、設計上目標とする値となるように、その駆動電圧Ｖｄ（膨張電位ＶＬと収縮電位ＶＨとの電位差）が設定されている。また、膨張要素ｐ１１の終端から収縮要素ｐ１３の始端までの時間（膨張ホールド要素ｐ１２の時間）Ｐｗ１、および、収縮要素ｐ１３の終端から復帰要素ｐ１５の始端までの時間（収縮ホールド要素ｐ１４の時間）Ｐｗ２は、圧力室２８内のインクに生じる圧力振動のヘルムホルツ周期（インクの固有振動周期）Ｔｃに基づいて定められている。この固有振動周期Ｔｃは、一般的には次式（１）で表すことができる。
Ｔｃ＝２π√｛Ｃｃ／〔（１／Ｍｎ）＋（１／Ｍｓ）〕｝・・・（１）
式（１）において、Ｍｎはノズル１７のイナータンス（単位断面積あたりのインクの質量：〔インク密度ρ×流路長さＬ〕／流路断面積Ｓ）、Ｍｓは供給口２９のイナータンス、Ｃｃは圧力室２８のコンプライアンス（単位圧力あたりの容積変化、柔らかさの度合いを示す。）である。これにより、圧力室２８内のインクに生じる圧力振動に合わせてインクの吐出、あるいは、吐出後の残留振動の制振を適切に行うことができる。
【００３１】
ところで、本実施形態におけるプリンター１では、インクカートリッジ１３からインク導入ユニット１８を経てヘッド本体１９の各ノズル１７に供給されるインクは、途中、フィルター２２によって濾過される構成となっている。このため、フィルター２２には、インクから濾別された異物や気泡等が次第に堆積する。この堆積した異物によりフィルター２２の目が詰まると、インクの供給に支障が生じ、ノズル１７におけるインクの吐出特性にも影響が生じる虞がある。具体的には、フィルター２２の目詰まりが生じると、上記の固有振動周期Ｔｃが長くなる傾向となる。すなわち、フィルター２２の目詰まりが生じると、フィルター２２における流路面積が小さくなり、これにより上記供給口２９のイナータンスＭｓが大きくなるのと同じ効果が生じる。その結果Ｔｃが長くなる。そこで、本発明に係るプリンター１では、振動検出回路６による検出値を利用して、フィルター２２の状態（目詰まりの程度）を判定する。
【００３２】
図５は、本発明に係るプリンター１におけるフィルターの状態を判定する処理の流れを説明するフローチャートである。本実施形態においては、一定の間隔毎、あるいはプリンタードライバー等を介してユーザーからの指示があった場合に、フィルター状態判定処理が実行される。まず、振動検出工程が実行される（ステップＳ１）。この振動検出工程では、検査対象のノズル１７に対応する圧電素子１１に検査用の駆動パルスが印加されて当該圧電素子１１が駆動される。圧電素子１１が駆動されると、当該圧電素子１１に対応する圧力室２８内部（インク流路の一部）のインクには圧力振動が生じる。この圧力振動の減衰振動（残留振動）に伴って、当該圧力室２８の可撓面３０および圧電素子１１も振動し、この振動により圧電素子１１には逆起電力が生じる。振動検出回路６は、これを検出して逆起電力信号をＣＰＵ２に出力する。なお、圧電素子の逆起電力信号を利用してインクの圧力振動を検出する方法は周知であるため、その詳細な説明は省略する。そして、ＣＰＵ２は、振動検出回路６からの逆起電力信号に基づき、検査対象のノズル１７に対応する圧力室２８におけるインクの振動周期を検出値として取得する（ステップＳ２）。本実施形態においては、記録ヘッド９における全てのノズル１７（ｍ個）のうち、ｎ個（１＜ｎ≦ｍ）のノズル１７について振動検出工程が順次実行され、各ノズル１７の振動周期が取得される。なお、フィルターの状態の判定精度を上げる上では、記録ヘッド９における全てのノズル１７（ｍ個）のノズル１７について振動周期が取得されることがより望ましい。
【００３３】
ここで、振動検出工程の検出値（振動周期）に関し、予め閾値が設定されている。本実施形態においては、第１の閾値と、これよりも大きい値の第２の閾値の２種類の閾値が定められている。第１の閾値は、例えばフィルター２２の目詰まりによる吐出への影響が生じ始めると考えられる振動周期に相当する値に設定されている。また、第２の閾値は、例えばフィルター２２の交換を要するほどに目詰まりが進行したと考えられる振動周期に相当する値に設定されている。
【００３４】
各ノズル１７の検出値が取得されたならば、ｎ個のノズル１７のうち一部のノズル１７の結果のみ異常であるか否かが判定される（ステップＳ３）。例えば、ＣＰＵ２は、取得されたｎ個の検出値を演算し、具体的には平均値を算出し、当該平均値と各ノズル１７の検出値とを比較して平均値に対して検出値の値が著しく異なっている（大きくなっている）ノズル１７については異常であると判定する。なお、判定の基準となる平均値と検出値の差については任意に設定することができる。また、判定の方法としては、例えば上記の平均値が第１の閾値以下である場合において、検出値が第１の閾値を超えているノズル１７を異常とする方法を採用することもできる。同様に、上記の平均値が第１の閾値よりも大きく第２の閾値以下である場合において、検出値が第２の閾値を超えているノズル１７を異常とすることもできる。
【００３５】
そして、一部のノズル１７の検出値のみ異常であると判定された場合（ステップＳ３でＹｅｓ）、当該ノズル１７についてフィルター２２の目詰まり以外の要因により吐出不良が生じている状態であると判定され、ノズル回復処理が実行される（ステップＳ４）。具体的には、当該ノズル１７からインクを強制的に吐出させる所謂フラッシング処理等の周知の回復処理が実行される。このように、フィルター２２の目詰まり以外の要因により吐出不良が生じている場合であっても、これに応じた適切な処理を行うことができる。
【００３６】
このノズル回復処理において、該当するノズル１７の検出値が、第１の閾値と第２の閾値との間の値である場合と、第２の閾値以上の値である場合とで、ノズル回復処理における強さ等を変えることができる。すなわち、ノズル回復処理としてフラッシング処理を実行する場合、検出値が第１の閾値と第２の閾値との間の値である場合におけるフラッシング処理の強さ（例えば、１回の吐出量や総吐出回数等）よりも、検出値が第２の閾値以上の値である場合におけるフラッシング処理の強さをより強くすることにより、該当するノズル１７の状態により適した回復処理を行うことができる。このように、フィルターの目詰まり以外の要因により吐出不良が生じている場合であっても、これに応じて該当ノズル１７に対して所謂フラッシング処理等のメンテナンス処理を実行する等、適切な処理を行うことができる。
【００３７】
上記ステップＳ３において、一部のノズル１７の検出値のみの異常では無い、すなわち、検査対象のｎ個のノズル１７の各検出値が概ね揃っていると判定された場合（ステップＳ３でＮｏ）、続いて、ｎ個のノズル１７の各検出値についての演算結果が、第１の閾値以上であるか否かが判定される（ステップＳ５）。具体的には、ＣＰＵ２は、検査対象のｎ個のノズル１７の各検出値の平均値を算出し、当該演算結果と第１の閾値とを比較する。また、演算結果としては、各検出値の平均値には限られず、各検出値の総和とすることも可能である。この場合、総和に応じた閾値が設定されることになる。そして、演算結果が第１の閾値未満であると判定された場合（ステップＳ５でＮｏ）、現状ではフィルター２２の異常は無いと判定されて、処理が終了される。なお、この場合、プリンター１に設けられている表示装置１２や、当該プリンター１と接続されている外部機器で実行されるプリンタードライバー等を通じて、フィルター２２の異常が無い旨の報知をしてもよい。
【００３８】
一方、演算結果が第１の閾値以上であると判定された場合（ステップＳ５でＹｅｓ）、続いて、演算結果が、第２の閾値以上であるか否かが判定される（ステップＳ６）。そして、演算結果が、第１の閾値を超えて、第２の閾値以下であると判定された場合（ステップＳ６でＮｏ）、比較的軽微ではあるもののフィルター２２の目詰まりによるインクの吐出特性に影響が生じているものと判定され、続いて駆動パルスの補正処理が行われる（ステップＳ７）。
【００３９】
図６は、駆動パルスの補正について説明する波形図である。なお、同図において、破線で示される波形が補正前の駆動パルスＰｄ（基本パルス）、実線で示される波形が補正後の駆動パルスＰｄ′である。上述したように、フィルター２２が目詰まりすると固有振動周期Ｔｃが長くなる。固有振動周期Ｔｃが長くなった場合、駆動パルスＰｄにおいて収縮要素ｐ１３による吐出のタイミングや復帰要素ｐ１５による制振タイミングがずれてしまう。本実施形態における補正処理では、固有振動周期Ｔｃの変化分だけ、駆動パルスＰｄにおける膨張ホールド要素ｐ１２の時間Ｐｗ１、および、収縮ホールド要素ｐ１４の時間Ｐｗ２を変化させる補正が行われる。つまり、固有振動周期Ｔｃが、基準値（フィルターの目詰まりが生じていない場合におけるＴｃの初期値）よりも長くなった場合には、その分、Ｐｗ１およびＰｗ２が、基準パルスの場合よりも長くなるように補正される。これにより、収縮要素ｐ１３による吐出のタイミングや復帰要素ｐ１５による制振タイミングが適切に調整される。これにより、固有振動周期Ｔｃの変化に起因してノズル１７から吐出されるインク滴の量や飛翔速度が不安定となることを抑制することができる。また、目詰まりによりフィルター２２における圧力損失が増加するため、これに伴ってノズル１７から吐出されるインク滴の量が減少する。このため、さらに駆動電圧が高められる補正が行われる。すなわち、基準パルスの駆動電圧Ｖｄよりも高い駆動電圧Ｖｄ′に設定される。これにより、ノズル１７から吐出されるインクの量が設計上目標とする値に揃えられる。
【００４０】
このように、検出値が第１の閾値を超えて第２の閾値以下となった場合に駆動パルスＰｄを補正することで、フィルター２２が交換を要するほどの状態に至るまでは、フィルター２２の目詰まりによる吐出特性への悪影響を抑制しつつフィルター２２を継続して使用することができる。したがって、フィルター２２の交換に至るまでは、記録画像の画質（記録品質）を維持することができる。
【００４１】
一方、ステップＳ６において、演算結果が第２の閾値以上であると判定された場合（ステップＳ６でＹｅｓ）、フィルター２２の交換が必要なほどに目詰まりしていると認識される。この場合、ステップＳ８において、ＣＰＵ２は、例えば表示装置１２にフィルター２２の目詰まりに関する表示を行わせる等して、ユーザーに対してフィルター２２の異常を報知し、フィルター２２の交換あるいは洗浄等のメンテナンスを促す。また、フィルター２２の目詰まりによる吐出不良を防止するため、フィルター２２のメンテナンスが完了するまでプリンター１の印刷処理（記録処理）ができないように処理を規制することもできる。これにより、フィルター２２の目詰まりによる記録画像の画質（記録品質）の低下を未然に防ぐことが可能となる。
【００４２】
以上のように、圧力室２８内のインクの振動をセンサーとしての圧電素子１１の逆起電力により検出し、検出結果（振動周期）を利用してフィルターの状態、すなわち目詰まりの程度を判定することができるので、フィルターの異常を検出するための専用の部品や構造を別途要することがなく、より簡単な構成でフィルターの状態を判定することができる。このため、従来よりも汎用性が高い。また、演算結果と予め定められた閾値との比較によりフィルター２２の状態が判定されるので、迅速な判定が可能である。さらに、検出値が閾値を超えた場合に駆動パルスＰｄを補正することで、ノズル１７から吐出されるインク滴の量や飛翔速度を、設計上目標とする値に近づけることが可能となり、フィルター２２の目詰まりによる記録画像の画質の低下を抑制することができる。
そして、演算結果が、第２の閾値を超えた場合に、フィルターがメンテナンスを要する状態になっていると判定されることで、フィルター２２の交換あるいは洗浄等のメンテナンスのタイミングをユーザーに報知する等の適切な対処が可能となる。
【００４３】
なお、検出値が第１の閾値以上第２の閾値未満となった場合における駆動パルスの補正については、例示したものに限られず、フィルターの目詰まりによって生じる吐出特性の変化を回復させることが可能であれば、周知の種々の方法を採用することができる。
また、駆動パルスＰｄに関し、図４で例示したものには限られず、周知の種々の駆動パルスを採用することができる。
【００４４】
また、上記実施形態では、記録ヘッド９の内部、具体的にはインク導入針２１の下流側にフィルター２２が配設された構成を例示したが、フィルターの位置は例示した位置には限られない。例えば、インクカートリッジからインク供給チューブを通じて記録ヘッドにインクが供給される構成では、記録ヘッドの外部にフィルターが設けられる場合もある。このような構成においても、本発明を適用することができる。同様に、例えば、ヘッド本体２９内の流路にフィルターが設けられている構成においても本発明を適用することができる。
【００４５】
さらに、上記実施形態では、アクチュエーターとして、所謂撓み振動型の圧電素子１１を例示したが、これには限られず、例えば、所謂縦振動型の圧電素子等、液体流路内の液体の振動を検出可能なアクチュエーターを用いる場合にも本発明を適用することができる。
【００４６】
そして、本発明は、液体吐出ヘッドのノズルから吐出させる液体の供給経路（液体流路）の途中にフィルターを備える構成であれば、上記のプリンター１に限られず、プロッター、ファクシミリ装置、コピー機等、各種のインクジェット式記録装置、あるいは、着弾対象の一種である布帛（被捺染材）に対して液体吐出ヘッドからインクを着弾させて捺染を行う捺染装置等の液滴吐出装置等にも適用することができる。
【符号の説明】
【００４７】
１…プリンター，２…ＣＰＵ，５…駆動信号生成回路，６…振動検出回路，９…記録ヘッド，１１…圧電素子，１３…インクカートリッジ，１７…ノズル，１８…インク導入ユニット，１９…ヘッド本体，２２…フィルター，２８…圧力室，３０…可撓面
【図１】
0006592990.tif 000002
【図２】
0006592990.tif 000003
【図３】
0006592990.tif 000004
【図４】
0006592990.tif 000005
【図５】
0006592990.tif 000006
【図６】
0006592990.tif 000007